(57)【要約】【課題】互いに着脱可能な複数の鞄体で構成され、分離した鞄体の持ち運び性および使い勝手が良好で、外観上の違和感も少ない、鞄を提供する。【解決手段】鞄１０は、二つの鞄体１１，１２をファスナ１４ｘ，１４ｙを介して互いに着脱可能に連結したものである。一方の鞄体１１の上面には取っ手１３が設けられている。他方の鞄体１２には三つの収納部１２ａ，１２ｂ，１２ｃが設けられ、収納部１２ａ，１２ｂ，１２ｃにはそれぞれファスナ１６，１７，１８が設けられている。ファスナ１６，１７，１８はそれぞれスライダ１６ｓ，１７ｓ，１８ｓをスライドすることにより開閉可能である。また、鞄体１１の開閉部は、鞄体１２との連結面の反対側の面に設けられている。【選択図】図１
2009055944.tif 000002
【特許請求の範囲】
【請求項１】
複数の鞄体を互いに着脱可能に連結した鞄であって、分離状態にした前記鞄体の少なくとも一つが折り畳み可能であることを特徴とする鞄。
【請求項２】
前記鞄体を折り畳んだ状態に保つ保持手段を設けた請求項１記載の鞄。
【請求項３】
折り畳み可能な前記鞄体に把持手段または吊下げ手段を設けた請求項１または２記載の鞄。
【発明の詳細な説明】
【技術分野】
【０００１】
本発明は、旅行、出張などの際に使用する鞄に関する。
【背景技術】
【０００２】
鞄については、従来、多種多様のデザイン、構造のものが開発されているが、本願発明に関連するものとして、複数の鞄体を互いに着脱可能に連結した鞄がある（例えば、特許文献１，２参照。）。特許文献１記載の「旅行鞄」は、互いに着脱可能な大型鞄体と小型鞄体とを備えたものであり、大型鞄体と小型鞄体とを一体あるいは分離して使用することができる。特許文献２記載の「鞄」は、用途の違う複数の鞄を脱着可能なファスナで連結したものであり、必要に応じて、複数の鞄を連結した状態あるいは個々に分離した状態で使用することができる。
【０００３】
【特許文献１】特開平１１−４６８３０号公報
【特許文献２】特開２００２−３２５６１５号公報
【発明の開示】
【発明が解決しようとする課題】
【０００４】
特許文献１，２に記載された「旅行鞄」、「鞄」はいずれも複数の鞄体を互いに連結した状態あるいは分離した状態で使用できるが、分離された個々の鞄体のサイズ、形状は、連結状態にあったときのサイズ、形状とほぼ同じであるため、持ち運びに不便であったり使い勝手が悪かったりする。また、個々の鞄体に分離したとき、鞄体同士を連結していた止め具やファスナなど連結機構が目立つため、外観上の違和感もある。
【０００５】
本発明が解決しようとする課題は、互いに着脱可能な複数の鞄体で構成され、分離した鞄体の持ち運び性および使い勝手が良好で、外観上の違和感も少ない、鞄を提供することにある。
【課題を解決するための手段】
【０００６】
本発明の鞄は、複数の鞄体を互いに着脱可能に連結した鞄であって、分離状態にした前記鞄体の少なくとも一つが折り畳み可能であることを特徴とする。このような構成とすれば、分離された鞄体を折り畳むことにより、当該鞄体をコンパクト化することができるため、鞄体の持ち運び性および使い勝手が良好である。また、分離された鞄体を折り畳む際に他の鞄体との連結面を内側にして折り畳めば、前記連結面が露出しないようにすることができるため、外観上の違和感も少ない。
【０００７】
ここで、前記鞄体を折り畳んだ状態に保つ保持手段を設ければ、分離された鞄体を常に折り畳んだ状態に保つことができるようになるため、使い勝手がさらに向上する。
【０００８】
一方、折り畳み可能な前記鞄体に把持手段または吊下げ手段を設ければ、分離された鞄体の持ち運び性がさらに向上する。なお、把持手段としては、片手で把持できる取っ手などが好適であり、吊り下げ手段としては、肩や腕に掛けることのできるベルト、チェーンなどが好適である。
【発明の効果】
【０００９】
本発明により、互いに着脱可能な複数の鞄体で構成され、分離した鞄体の持ち運び性および使い勝手が良好で、外観上の違和感も少ない、鞄を提供することができる。
【発明を実施するための最良の形態】
【００１０】
以下、図面に基づいて、本発明の実施の形態について説明する。図１は本発明の第１実施形態である鞄を示す斜視図、図２は図１の鞄を底面側から見た斜視図、図３は図１に示す鞄を二つの鞄体に分離したときの斜視図、図４は図３に示す鞄体の折り畳み開始時の斜視図、図５は図４に示す鞄体の折り畳み手順を示す斜視図、図６は図４に示す鞄体を折り畳んだときの斜視図である。
【００１１】
図１に示すように、本実施形態の鞄１０は、二つの鞄体１１，１２をファスナ１４ｘ，１４ｙを介して互いに着脱可能に連結したものである。一方の鞄体１１の上面には取っ手１３が設けられている。他方の鞄体１２には三つの収納部１２ａ，１２ｂ，１２ｃが設けられ、収納部１２ａ，１２ｂ，１２ｃにはそれぞれファスナ１６，１７，１８が設けられている。ファスナ１６，１７，１８はそれぞれスライダ１６ｓ，１７ｓ，１８ｓをスライドすることにより開閉可能である。また、鞄体１１の開閉部（図示せず）は、鞄体１２との連結面１１ｆ（図３参照）の反対側の面（図示せず）に設けられている。
【００１２】
収納部１２ａ，１２ｂの上面にはそれぞれ把持手段であるベルト状の取っ手１５ａ，１５ｂが設けられ、これらの取っ手１５ａ，１５ｂの両端は、それぞれ出入孔１３ｈを通して、収納部１２ａ，１２ｂ内の上部に引き出し可能に収納されている。従って、不使用時の取っ手１５ａ，１５ｂは収納部１２ａ，１２ｂ上面に面接触した状態にあるが、使用時は取っ手１５ａ，１５ｂを出入孔１３ｈから引き出して、手で把持することができる。
【００１３】
図１，図２に示すように、二つの鞄体１１，１２を互いに着脱可能に連結するファスナ１４ｘ，１４ｙは、二つの鞄体１１，１２の連結面の外周をそれぞれ半周するように設けられている。二つの鞄体１１，１２が連結状態にあるとき、ファスナ１４ｘ，１４ｙを開閉するスライダ１４ｓｘ，１４ｓｙは鞄１０の底面に位置している。また、スライダ１４ｓｚが、鞄体１２側のファスナ１４ｘの片方の端部に係合されている。従って、図１に示す状態にある鞄１０は、複数の収納部１２ａ，１２ｂ，１２ｃなどを有する鞄として、通常の鞄と同様に、外観上の違和感もなく、使用することができる。また、図１に示すように、取っ手１３の両端部は鞄体１１の上面に取り付けられているが、取っ手１３の両端部は鞄体１１の厚さ方向１１ｗに移動可能に係止されているため、鞄体１１，１２内の収納状態により、鞄１０全体の重心が鞄体１１寄りまたは鞄体１２寄りに変化したときにも適切な位置に取っ手１３をセットすることができる。
【００１４】
図２に示すように、スライダ１４ｓｘ，１４ｓｙをそれぞれファスナ１４ｘ，１４ｙに沿って矢線１４ａｘ，１４ａｙ方向に移動させると、スライダ１４ｓｘ，１４ｓｙが鞄１０の上面中央に到達したところで、図３に示すように、ファスナ１４ｘ，１４ｙはそれぞれ分離され、スライダ１４ｓｘ，１４ｓｙは鞄体１１側の片方のファスナ１４ｘ，１４ｙに残る。これにより、鞄１０は、二つの鞄体１１，１２に分離された状態となる。分離された鞄体１１における鞄体１２との連結面１１ｆは当該鞄体１１の他の表面と同じ素材で形成されているため、外観上の違和感もなく、一つの鞄として使用することができる。また、取っ手１３は、鞄体１１の厚さ方向１１ｗに移動可能であるため、単体となった鞄体１１の重心位置に合わせて、適切な位置にセットすることができる。
【００１５】
一方、分離された鞄体１２は、図４に示すように、鞄体１１との連結面１２ｘ，１２ｙの間にある直線状の折曲部１２ｗを中心に矢線１２ｐ方向に折り畳むことができるため、図５に示す手順で折り畳めば、連結面１２ｘ，１２ｙ同士を略平行に対向させることができる。これにより、ファスナ１４ｘ，１４ｙは互いに接触した状態となるため、折曲部１２ｗの下端付近に位置するスライダ１４ｓｚ（図４参照）をファスナ１４ｘ，１４ｙに沿って鞄体１２の上面までスライドさせると、図６に示すように、ファスナ１４ｘ，１４ｙが接合され、鞄体１２は折曲部１２ｗ（図５参照）を中心に折り畳んだ状態に保たれる。この後、把持手段である取っ手１５ａ，１５ｂを上方に引き上げると、出入孔１３ｈから取っ手１５ａ，１５ｂが繰り出され、手で把持可能な状態となる。
【００１６】
また、図４，図５に示すように、折曲部１２ｗの上端付近には、可撓性を有するシート材で形成された二等辺三角形状のストッパ部材２０が、連結面１２ｘ，１２ｙに面接触した状態で付設されている。図５（ａ）に示すように、ストッパ部材２０は、その頂点２０ｄが折曲部１２ｗの上端付近に位置し、折曲部１２ｗを中心に左右対称となるように配置され、二つの斜辺部２０ｂのみがそれぞれ連結面１２ｘ，１２ｙに折り曲げ可能に係止されている。ストッパ部材２０の底辺部２０ｃは連結面１２ｘ，１２ｙに係止されていないので、図５（ｂ）に示すように、折曲部１２ｗを中心に矢線１２ｐ方向に鞄体１２を折り畳んでいくと、折曲部１２ｗに重なっていた中線２０ａ部分が凸状に折れ曲がりながら、上方へ起立していく。そして、連結面１２ｘ，１２ｙ同士が略平行に対向する状態まで折り曲げられると、図６に示すように、ストッパ部材２０は中線２０ａを中心に二つ折りとなり、鞄体１２の上面より上方に突出した状態となる。
【００１７】
従って、図６に示すように、鞄体１２を折り畳んで、ファスナ１４ｘ，１４ｙに沿って鞄体１２の上面までスライダ１４ｓｚをスライドさせたとき、当該スライダ１４ｓｚは、鞄体１２の上面から突出したストッパ部材２０の底辺部２０ｃに当接し、それより先に進行不能となる。このため、スライダ１４ｓｚがファスナ１４ｘ，１４ｙから離脱するのを防止することができる。
【００１８】
鞄１０は、複数の鞄体１１，１２を互いに着脱可能に連結したものであり、分離状態にした鞄体１２が折り畳み可能であるため、当該鞄体１２がコンパクト化され、鞄体１２の持ち運び性および使い勝手が良好である。また、図４で示したように、分離された鞄体１２を折り畳む際に他の鞄体１１との連結面１２ｘ，１２ｙを内側にして折り畳むことにより、連結面１２ｘ，１２ｙが露出しない状態とすることができるため、外観上の違和感も少ない。
【００１９】
また、鞄体１２を折り畳んだ状態に保つ保持手段としてファスナ１４ｘ，１４ｙが設けられているため、分離された鞄体１２のファスナ１４ｘ，１４ｙを接合することにより、鞄体１２は常に折り畳み状態に保つことができ、使い勝手も優れている。さらに、鞄体１２の上面には把持手段である二つの取っ手１５ａ，１５ｂが設けられ、これらの取っ手１５ａ，１５ｂを手で把持することができるため、分離された鞄体１２の持ち運び性も良好である。なお、取っ手１５ａ，１５ｂを、肩や腕に掛けられる程度の長さまで引き出せるようにすれば、吊り手段として使用することもできる。
【００２０】
なお、分離された鞄体１１，１２は前述と逆の作業を行って、互いに連結することにより、鞄１０（図１参照）の状態に戻すことができる。本実施形態の鞄１０においては、鞄体１１に対して、折り畳み可能な一つの鞄体１２を着脱可能に連結したものであるが、これに限定するものではないので、少なくとも一つが折り畳み可能な三つ以上の鞄体を着脱可能に連結した鞄とすることもできる。
【００２１】
次に、図７〜図１１に基づいて、本発明の第２実施形態および鞄体に関するその他の実施の形態について説明する。図７は本発明の第２実施形態である鞄の一部を示す斜視図、図８は図７に示す鞄を構成する鞄体の折り畳み手順を示す平面図、図９は図８に示す鞄体を折り畳んだときの部分斜視図である。また、図１０は鞄体に関するその他の実施の形態を示す斜視図、図１１は図１０に示す鞄体の折り畳み手順を示す平面図である。なお、図７〜図１１において図１〜図６と同じ符号を付している部分は第１実施形態の鞄１０の構成部分と同じ構造、機能を有する部分であり、説明を省略する。
【００２２】
図７に示す鞄３０は、二つの鞄体１１，３２をファスナ１４ｘ，１４ｙを介して互いに着脱可能に連結したものであり、一方の鞄体３２の上面には、ベルト状をした二つの取っ手２１ａ，２１ｂが、それぞれの両端に設けられた係止具２１ｃを介して、それぞれ収納部３２ａ，３２ｂを跨ぐように取り付けられている。複数の係止具２１ｃはそれぞれ収納部３２ａ，３２ｂ上面と直交する仮想軸心を中心に回転自在である。
【００２３】
従って、図８（ａ）に示すように、折曲部３２ｗを中心に鞄体３２を折り畳んでいくと、取っ手２１ａ，２１ｂがそれぞれ収納部３２ａ，３２ｂに対して相対的に回転し、取っ手２１ａ上に取っ手２１ｂが乗り上がり、図８（ｂ）に示すように、鞄体３２が折り畳まれると、取っ手２１ａ，２１ｂがＸ状に交差する。この後、図９に示すように、ファスナ１４ｘ，１４ｙに沿って鞄体３２の上面までスライダ１４ｓｚを移動させると、取っ手２１ａ，２１ｂが鞄体３２上面から浮き上がって交差した状態となる。このため、取っ手２１ａ，２１ｂの交差部分を手で把持すれば、鞄体３２を安定的に保持することができる。
【００２４】
図１０に示す鞄体５２においては、鎖５１ｔの一部を円筒状のスリーブ５１ｓで被覆して形成された二つの取っ手５１ａ，５１ｂが、それぞれの両端に設けられた係止具５１ｃを介して、それぞれ収納部５２ａ，５２ｂを跨ぐように取り付けられている。複数の係止具５１ｃは、それぞれ収納部５２ａ，５２ｂ上面と直交する仮想軸心を中心に回転自在である。
【００２５】
従って、図１１（ａ）に示すように、折曲部５２ｗを中心に鞄体５２を折り畳んでいくと、取っ手５１ａ，５１ｂがそれぞれ収納部５２ａ，５２ｂに対して相対的に回転し、取っ手５１ａ上に取っ手５１ｂが乗り上がり、図１１（ｂ）に示すように、鞄体５２が折り畳まれると、取っ手５１ａ，５１ｂがＸ状に交差する。従って、取っ手５１ａ，５１ｂの交差部分を手で把持すれば、鞄体５２を安定的に保持することができる。
【００２６】
鞄体５２の場合、取っ手５１ａ，５１ｂは可撓性を有する鎖５１ｔおよびスリーブ５１ｓで形成されているため、図１０に示すように、複数の係止具５１ｃをそれぞれ厚さ方向５２ｗの中心位置に配置することができる。これにより、図１１（ｂ）に示すように、鞄体５２を折り畳んだとき、複数の係止具５１ｃは長方形の頂点に位置し、鞄体５２の重さは取っ手５１ａ，５１ｂ全体に均等配分されるため、鞄体５２を安定保持することができる。なお、取っ手５１ａ，５１ｂの代わりに、可撓性を有する紐状体、縄状体、線状体あるいはワイヤなどを用いて取っ手を形成することもできる。なお、取っ手５１ａ，５１ｂを長くして、肩や腕に掛けられるようにすれば、吊り下げ手段として使用することができる。
【産業上の利用可能性】
【００２７】
本発明の鞄は、旅行や出張などの外出の際に荷物を収納、運搬するための道具として広く利用することができる。
【図面の簡単な説明】
【００２８】
【図１】本発明の第１実施形態である鞄を示す斜視図である。
【図２】図１の鞄を底面側から見た斜視図である。
【図３】図１に示す鞄を二つの鞄体に分離状態にしたときの斜視図である。
【図４】図３に示す鞄体の折り畳み開始時の斜視図である。
【図５】図４に示す鞄体の折り畳み手順を示す斜視図である。
【図６】図４に示す鞄体を折り畳んだときの斜視図である。
【図７】本発明の第２実施形態である鞄の一部を示す斜視図である。
【図８】図７に示す鞄を構成する鞄体の折り畳み手順を示す平面図である。
【図９】図８に示す鞄体を折り畳んだときの部分斜視図である。
【図１０】鞄体に関するその他の実施の形態を示す斜視図である。
【図１１】図１０に示す鞄体の折り畳み手順を示す平面図である。
【符号の説明】
【００２９】
１０，３０  鞄
１１，１２，３２，５２  鞄体
１１ｆ，１２ｘ，１２ｙ  連結面
１１ｗ  厚さ方向
１２ａ，１２ｂ，１２ｃ，３２ａ，３２ｂ，５２ａ，５２ｂ  収納部
１２ｐ，１４ａｘ，１４ａｙ  矢線
１２ｗ，３２ｗ，５２ｗ  折曲部
１３，１５ａ，１５ｂ，２１ａ，２１ｂ，５１ａ，５１ｂ  取っ手
１３ｈ  出入孔
１４ｘ，１４ｙ，１６，１７，１８  ファスナ
１４ｓｘ，１４ｓｙ，１４ｓｚ，１６ｓ，１７ｓ，１８ｓ  スライダ
２０  ストッパ部材
２０ａ  中線
２０ｂ  斜辺部
２０ｃ  底辺部
２０ｄ  頂点
２１ｃ，５１ｃ  係止具
５１ｓ  スリーブ
５１ｔ  鎖
【図１】
2009055944.tif 000003
【図２】
2009055944.tif 000004
【図３】
2009055944.tif 000005
【図４】
2009055944.tif 000006
【図５】
2009055944.tif 000007
【図６】
2009055944.tif 000008
【図７】
2009055944.tif 000009
【図８】
2009055944.tif 000010
【図９】
2009055944.tif 000011
【図１０】
2009055944.tif 000012
【図１１】
2009055944.tif 000013